(57)【特許請求の範囲】
【請求項１】
ケース(1)内に設けられたセンサ(2)により、前記センサ(2)の近傍位置で回転する回転体(40)の回転速度を検出し、前記センサ(2)のリード線(3)に圧着端子接続部(4)を介して接続された信号用ケーブル(5)を介して前記回転速度の検出信号を外部に出力するようにした回転速度検出器において、前記信号用ケーブル(5)は放射線架橋エラストマー絶縁体チューブ(60)内に内設された複数の電線(53)及び前記各電線(53)間に設けられフィラー入りの樹脂(61)を有し、前記各電線(53)と前記樹脂(61)の外周面の一部は前記放射線架橋エラストマー絶縁体チューブ(60)の内周面の一部に接し、前記電線(53)は、架橋ポリビニリデンフロライド絶縁体チューブ(70)の内側に設けられた架橋ポリアルケン絶縁体チューブ(71)と、前記架橋ポリアルケン絶縁体チューブ(71)の内側に設けられた複数の導体(57)とからなり、前記信号用ケーブル(5)は＋１５０℃に耐えられるように形成されていることを特徴とする回転速度検出器。
【発明の詳細な説明】
【０００１】
【発明の属する技術分野】
本発明は、回転速度検出器に関し、特に、センサからの検出信号を外部に導出するためのリード線及び信号用ケーブル等を耐高温性（約＋１５０℃まで）とし、高温下で使用できるようにするための新規な改良に関する。
【０００２】
【従来の技術】
従来、用いられていたこの種の回転速度検出器としては、例えば、図７から図１０で示される構成が採用されていた。
すなわち、図７において符号１で示されるものは全体形状がほぼ筒形をなすケースであり、このケース１の先端には例えば無電源型の周知のセンサ２が一対設けられている。
前記センサ２のリード線３は、端子台４を介して信号用ケーブル５と接続されており、この信号用ケーブル５とケース１とはケーブルグランド６によって密閉状に固定されている。
【０００３】
前述の図７の構成の場合、断面図で示すと図８の通りであり、センサ２は使用温度範囲が−５４℃から＋１５０℃であるが、端子台４は＋８５℃迄、信号用ケーブル５は＋８５℃迄が最高限度であった。
【０００４】
図９は、図７の他の形態を示すものであるが、センサ２が単体であり、信号用ケーブル５は＋８５℃が使用可能温度範囲の限度であった。
前記信号用ケーブル５は、図１０に示されるように構成されており、クロロプレン混和物からなるシース１０と、押え編組１１と、介在物１２と、この介在物１２に保持された複数の電線１３とよりなり、この電線１３は、遮蔽編組１４と、ゴム引布テープ１５と、絶縁体１６と、セパレータ１７と、導体１８とから構成されている。
【０００５】
【発明が解決しようとする課題】
従来の回転速度検出器は、以上のように構成されていたため、次のような課題が存在していた。
すなわち、センサ自体は使用温度範囲が−５４℃から＋１５０℃であるが、その他の端子台及び信号用ケーブルの使用温度範囲が＋８５℃迄であるため、使用範囲が限られていた。
【０００６】
本発明は、以上のような課題を解決するためになされたもので、特に、センサからの検出信号を外部に導出するためのリード線及び信号用ケーブル等を耐高温性（約＋１５０℃まで）とし、高温下で使用できるようにした回転速度検出器を提供することを目的とする。
【０００７】
【課題を解決するための手段】
本発明による回転速度検出器は、ケース内に設けられたセンサにより、前記センサの近傍位置で回転する回転体の回転速度を検出し、前記センサのリード線に圧着端子接続部を介して接続された信号用ケーブルを介して前記回転速度の検出信号を外部に出力するようにした回転速度検出器において、前記信号用ケーブルは放射線架橋エラストマー絶縁体チューブ内に内設された複数の電線及び前記各電線間に設けられフィラー入りの樹脂を有し、前記各電線と前記樹脂の外周面の一部は前記放射線架橋エラストマー絶縁体チューブの内周面の一部に接し、前記電線は、架橋ポリビニリデンフロライド絶縁体チューブの内側に設けられた架橋ポリアルケン絶縁体チューブと、前記架橋ポリアルケン絶縁体チューブの内側に設けられた複数の導体とからなり、前記信号用ケーブルは＋１５０℃に耐えられるように形成されている構成である。
【０００８】
【発明の実施の形態】
以下、図面と共に本発明による回転速度検出器の好適な実施の形態について説明する。なお、従来例と同一又は同等部分には同一符号を付して説明する。
図１及び図２において符号１で示されるものは全体形状がほぼ筒形をなすケースであり、このケース１の先端には例えば無電源型の周知のセンサ２が一対設けられている。
前記センサ２の近傍位置に設けられた例えばギヤからなる回転体４０が回転して得られる各センサ２の検出信号は、図４で示されるセンサ２のリード線３は圧着端子接続部４を介してケーブルグランド６に固定された信号用ケーブル５を介して外部に導出されている。すなわち、センサ２からの信号線であるリード線３と信号用ケーブル５とは、従来の端子台を用いることなく直結されている。
【０００９】
前記ケース１内には、耐熱温度が約１８０℃であるエポキシ樹脂４１が充填されており、ケース１内は＋１５０℃迄は耐久性があるように構成されている。
【００１０】
前記信号用ケーブル５は、図５のように、放射線架橋エラストマー絶縁体チューブ６０と、複数の電線５３と、各電線５３間に設けられ充填されたフィラー入りの樹脂６１とから構成されている。前記電線５３と樹脂６１の外周面の一部は放射線架橋エラストマー絶縁体チューブ６０の内周面の一部と接している。
前記電線５３は、図６で示されるように、外側から内側へ向けて、架橋ポリビニリデンフロライド絶縁体チューブ７０と、架橋ポリアルケン絶縁体チューブ７１と、錫メッキ銅線等からなる複数の導体５７で構成され、前述の図５及び図６の構成も全て材料が＋１５０℃に耐えられるように形成されている。
【００１１】
【発明の効果】
本発明による回転速度検出器は、以上のように構成されているため、次のような効果を得ることができる。すなわち、信号用ケーブルの絶縁チューブ及び導線又は導体を被覆する絶縁チューブ等が少なくとも＋１５０℃に耐えられる材質であるため、従来の＋８５℃の耐熱特性の構成では使用不可能であった場所での使用が可能となり、回転速度検出器の使用範囲を大幅に増加させることができる。
【図面の簡単な説明】
【図１】  本発明による回転速度検出器を示す構成図である。
【図２】  図１の要部の構成図である。
【図３】  図２の要部の断面図である。
【図４】  図３の他の形態の断面図である。
【図５】  図４の信号用ケーブルの拡大断面図である。
【図６】  図５の斜視図である。
【図７】  従来構成の断面図である。
【図８】  図７の他の断面図である。
【図９】  図７の他の断面図である。
【図１０】  図９の要部の断面図である。
【符号の説明】
１    ケース
２    センサ
５    ケーブル
４０    回転体
５３    電線
５７    導体
６０    放射線架橋エラストマー絶縁体チューブ
７０    架橋ポリビニリデンフロライド絶縁体チューブ
７１    架橋ポリアルケン絶縁体チューブ
【図１】
0003688954.tif 000002
【図２】
0003688954.tif 000003
【図３】
0003688954.tif 000004
【図４】
0003688954.tif 000005
【図５】
0003688954.tif 000006
【図６】
0003688954.tif 000007
【図７】
0003688954.tif 000008
【図８】
0003688954.tif 000009
【図９】
0003688954.tif 000010
【図１０】
0003688954.tif 000011